(57)【要約】【課題】本発明の目的は、装置本体に対して開閉可能なドアの部品点数を削減し、装置の小型化・コストダウンを図ることができるシート搬送装置及び画像処理装置を提供する。【解決手段】装置本体に開閉可能に設けられ、シートを案内する搬送面を持つ両面ドア５３や、両面ドア５３を閉じた状態で装置本体に係止可能なロック部材３２など、を備えたシート搬送装置において、ロック部材３２を装置本体側の両面ローラと対向するドア側の両面コロ１５ｂの軸３５の両端部に設けるとともに、ロック部材３２は、両面コロ軸３５を両面ローラ１５ａの方向に移動可能に案内する案内部３２ｄを有し、両面コロ軸３５は、ロック部材３２を設ける軸方向両端部に、案内部３２ｄに沿って移動可能に、且つ、両面コロ軸３５に対するロック部材３２の回転を規制するように案内部３２ｄに係合する係合部３５ａを有する。【選択図】    図１
2012201456.tif 000002
【特許請求の範囲】
【請求項１】
装置本体に開閉可能に設けられ、シートを案内する搬送面を持つ開閉部材と、
装置本体に設けられ、シートを搬送するために駆動回転する搬送回転体と、
前記搬送回転体の回転に従動する従動回転体と、
前記従動回転体を支持する軸部材と、
前記開閉部材に設けられ、前記軸部材を支持する軸受部材と、
前記搬送回転体と前記従動回転体との間で加圧力を生じさせる加圧部材と、
前記開閉部材を閉じた状態で装置本体に係止可能なロック部材と、
を備えたシート搬送装置において、
前記ロック部材を前記軸部材の軸方向両端部に設けるとともに、
前記ロック部材は、前記軸部材を前記搬送回転体の方向に移動可能に案内する案内部を有し、
前記軸部材は、前記ロック部材を設ける軸方向両端部に、前記案内部に沿って移動可能に、且つ、前記軸部材に対する前記ロック部材の回転を規制するように前記案内部に係合する係合部を有することを特徴とするシート搬送装置。
【請求項２】
前記ロック部材が、前記軸受部材を兼ねることを特徴とする請求項１に記載のシート搬送装置。
【請求項３】
記録対象のシートに画像を形成し、或いは、読取対象のシートの画像を読み取る画像処理装置において、
前記シートを搬送するシート搬送装置を有し、前記シート搬送装置として、請求項１又は請求項２に記載のシート搬送装置を有することを特徴とする画像処理装置。
【発明の詳細な説明】
【技術分野】
【０００１】
本発明は、装置本体に開閉可能に設けられ、シートを案内する搬送面を持つ開閉部材を有するシート搬送装置、及びこのシート搬送装置を有する画像処理装置に関するものである。
【背景技術】
【０００２】
従来から、記録紙などの記録対象のシートに画像を形成し、或いは、原稿などの読取対象のシートの画像を読み取る、複写機、プリンタ、ワードプロセッサ、ファクシミリ、或いはスキャナなどの画像処理装置が提案されている。
【０００３】
図１３〜図１６を用いて、前述の画像処理装置としてのプリンタを例示して従来構成の説明を行う。図１３は、従来の画像形成装置のドアの斜視図である。図１４は、従来の画像形成装置のドアロック機構部の詳細平面図である。図１５は、従来の画像形成装置のドア閉時を示す断面図である。図１６は、従来の画像形成装置のドア開時を示す断面図である。
【０００４】
図１５及び図１６に示すように、プリンタＦは、片面に画像が形成された後、裏面に画像を形成するためシートＰを再び画像形成部２０に給送するための両面搬送路Ｒを備えている。このプリンタＦは、シートを案内する搬送面を持つドア５５３を有している。ドア５５３は、プリンタ本体に対して回転軸５５３ｃ周りに回転可能に設けられている。このドア５５３の内壁には搬送面をなすガイド５５３ａ，５５３ｂが設けられており、対向するプリンタ本体の両面ガイド５２とにより前記両面搬送路Ｒの一部を構成している。
【０００５】
さらに、この両面搬送路Ｒにはシートを挟持して搬送する両面ローラ対１５ａ，１５ｂが設けられている。この両面ローラ対のうち、一方の両面ローラ１５ａはプリンタ本体に取り付けられ、他方の両面コロ１５ｂは前記ドア５５３の内壁に取り付けられている。
【０００６】
これにより、シートの両面に画像を形成するべく両面搬送路Ｒに送られたシートが、両面搬送路Ｒにて紙詰まり（ジャム）した場合には、前記ドア５５３を開くことにより容易にジャム処理し得るようになっている。
【０００７】
ここで、前記ドア５５３のロック機構について図１３及び図１４を用いて説明する。
【０００８】
ドア５５３は、ロック部材保持軸５５３ｈを有し、ロック部材５３２を回転可能に保持している。ロック部材５３２は、フック部５３２ｂ、バネ掛け部５３２ｃを有している。そして、ロック部材付勢バネ５３３が、ドア５５３のバネ掛け部５５３ｅとロック部材５３２のバネ掛け部５３２ｃとで取り付けられ、ロック部材５３２を回転方向でドア５５３の突き当て部５５３ｆに突き当てて、ロック部材５３２の回転方向の姿勢を決めている。
【０００９】
また、図１５に示すように、装置本体はロック軸５３４を有しており、ロック軸５３４とロック部材５３２のフック部５３２ｂとを係止することでドア５５３とプリンタ本体とをロック可能にしている。
【００１０】
上記従来の構成において、ドア５５３はプリンタの外装カバーを兼ねているため、厚く形成したり補強用のリブを増加させると、外観不良が生じてしまう。よって、ドア５５３は高剛性に形成し難く、撓みやすい傾向にある。
【００１１】
ドア５５３が撓みやすいため、ユーザーがドア５５３の軸方向のいずれか一方を保持して閉じると、保持していた側のロック部材５３２は、ロック部材付勢バネ５３３の付勢力に打ち勝って回転し、フック部５３２ｂをロック軸５３４に係止することができる。
【００１２】
しかし、保持していない側のロック部材５３２は、ドアが撓んでしまうことでロック部材付勢バネ５３３の付勢力に打ち勝てず、フック部５３２ｂをロック軸５３４に係止できないことがある。すなわち、ロック部材５３２の先端とロック軸５３４とが突き当たり、ロック部材５３２のフック部５３２ｂがロック軸５３４に係止されいない状態のままとなることが起き得る。
【００１３】
このように、上記従来の構成では、ユーザーの取扱いによっては、ドア５５３を閉じる際に、ドア５５３の軸方向両側にあるロック部材５３２のうち、一方のロック部材５３２のみがロックされる、片閉まりが生じる問題がある。
【００１４】
この片閉まりの状態で両面印刷を行うと、両面搬送路Ｒに案内されたシートＰは、片閉まりのドア５５３がなす搬送面により斜め搬送されてしまい、正常に２面目のプリントを行うことができない状況（ジャム）が発生してしまう。
【００１５】
この問題を解消するものとして、例えば、特許文献１には、軸方向両側のロック部材が取り付けられている貫通シャフトに、取っ手を回動可能に設け、前記取っ手を操作して両側のロック部材を解除する構成が開示されている。この特許文献１によれば、ドアを開閉しても、前述の片閉まりを抑制することが可能となる。
【先行技術文献】
【特許文献】
【００１６】
【特許文献１】特開平１１−１８０５８５号公報
【発明の概要】
【発明が解決しようとする課題】
【００１７】
しかしながら、特許文献１記載の構成においては、両面搬送路に設けられた両面ローラ対のうちの一方の両面コロを保持するための部材や取っ手を設けているため、部品点数が多くなり、また、その設置スペースが必要になる。そのため、小型化・コストダウンの弊害となっていた。
【００１８】
そこで、本発明の目的は、装置本体に対して開閉可能な開閉部材の部品点数を削減し、装置の小型化・コストダウンを図ることができるシート搬送装置及び画像処理装置を提供することである。
【課題を解決するための手段】
【００１９】
上記目的を達成するため、本発明は、装置本体に開閉可能に設けられ、シートを案内する搬送面を持つ開閉部材と、装置本体に設けられ、シートを搬送するために駆動回転する搬送回転体と、前記搬送回転体の回転に従動する従動回転体と、前記従動回転体を支持する軸部材と、前記開閉部材に設けられ、前記軸部材を支持する軸受部材と、前記搬送回転体と前記従動回転体との間で加圧力を生じさせる加圧部材と、前記開閉部材を閉じた状態で装置本体に係止可能なロック部材と、を備えたシート搬送装置において、前記ロック部材を前記軸部材の軸方向両端部に設けるとともに、前記ロック部材は、前記軸部材を前記搬送回転体の方向に移動可能に案内する案内部を有し、前記軸部材は、前記ロック部材を設ける軸方向両端部に、前記案内部に沿って移動可能に、且つ、前記軸部材に対する前記ロック部材の回転を規制するように前記案内部に係合する係合部を有することを特徴とする。
【発明の効果】
【００２０】
本発明によれば、装置本体に対して開閉可能な開閉部材の片閉まり発生を防止して、開閉部材がなすシートの搬送路でのシートジャムを抑制することができる。また、前記開閉部材に設けた従動回転体の軸部材に前記ロック部材を設けたため、装置の小型化、コストダウンを図ることができる。これにより低価格を実現しながらユーザビリティを向上させ、ジャムの発生しない高品質なシート搬送装置及び画像処理装置を提供することができる。
【図面の簡単な説明】
【００２１】
【図１】第１実施形態に係る画像形成装置のドアの斜視図
【図２】第１実施形態に係る画像形成装置のドアロック機構部の詳細平面図
【図３】図２のＤ−Ｄ断面図
【図４】第１実施形態に係る画像形成装置のドアロック機構部の詳細斜視図
【図５】第１実施形態に係る画像形成装置のドア閉時を示す断面図
【図６】第１実施形態に係る画像形成装置のドア開時を示す断面図
【図７】第２実施形態に係る画像形成装置のドアの斜視図
【図８】第２実施形態に係る画像形成装置のドアロック機構部の詳細平面図
【図９】図８のＤＤ−ＤＤ断面図
【図１０】第２実施形態に係る画像形成装置のドアロック機構部の詳細斜視図
【図１１】第２実施形態に係る画像形成装置のドア閉時を示す断面図
【図１２】第２実施形態に係る画像形成装置のドア開時を示す断面図
【図１３】従来の画像形成装置のドアの斜視図
【図１４】従来の画像形成装置のドアロック機構部の詳細平面図
【図１５】従来の画像形成装置のドア閉時を示す断面図
【図１６】従来の画像形成装置のドア開時を示す断面図
【発明を実施するための形態】
【００２２】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００２３】
〔第１実施形態〕
第１実施形態に係るシート搬送装置を備えた画像処理装置を図１〜図６に基づいて説明する。ここでは、画像処理装置として、記録対象のシートに画像を形成する画像形成装置としてのレーザビームプリンタを例示している。
【００２４】
図１は、本実施形態に係るレーザビームプリンタＦのドアの斜視図である。図２は、本実施形態に係るレーザビームプリンタＦのドアロック機構部の詳細平面図である。図３は、図２のＤ−Ｄ断面図である。図４は、本実施形態に係るレーザビームプリンタＦのドアロック機構部の詳細斜視図である。図５は、本実施形態に係るレーザビームプリンタＦのドア閉時を示す断面図である。図６は、本実施形態に係るレーザビームプリンタＦのドア開時を示す断面図である。
【００２５】
図５及び図６に示すように、レーザビームプリンタＦにおいては、装置本体内に設けられた感光体８にレーザ光を走査して記録する電子写真方式を採用する。
【００２６】
このレーザビームプリンタＦは画像形成を行う画像形成部２０と、画像形成部２０に記録紙等の記録対象のシートＰを１枚ずつ分離給送する給送部２１等を備えている。また、このレーザビームプリンタＦは、シートＰの両面に画像を形成することができるよう、両面搬送路Ｒを備えている。両面搬送路Ｒは、片面に画像が形成された後、裏面に画像を形成するため、シートＰを再び画像形成部２０に給送するためのシート搬送手段（シート搬送装置）である。
【００２７】
給送トレイ１内には複数枚のシートＰが載置可能となっている。シートＰは、給送トレイ１の左側（装置奥側）に配設されたシート供給手段を構成する給送ローラ２により、そこを起点に１枚ずつ分離されて装置本体内に供給される。なお、給送トレイ１と給送ローラ２とを、シートを装置内に供給するシート供給手段という。
【００２８】
さらに分離給送されたシートＰは、給送ローラ２の上部に位置する搬送ローラ対３によって画像形成部２０に向けて搬送される。画像形成部２０に送られたシートＰは、感光体８と転写手段としての転写ローラ９が対向する転写部にて、感光体８に形成された画像（トナー像）が転写ローラ９によって転写される。
【００２９】
さらに画像形成部２０において、プロセスカートリッジＣはプリンタ本体（装置本体）に対して着脱可能にされており、像担持体である感光体８を有している。さらに、図示していないが、感光体８に作用するプロセス手段（帯電手段、現像手段、クリーニング手段など）を有している。
【００３０】
そして、転写部にて画像（トナー像）が転写されたシートＰは、定着手段である定着器１１に送られ、定着器１１にて加熱によって画像が定着される。
【００３１】
そして、画像が定着されたシートＰは、排出ガイド５０のリブに当接して印刷されている側の面を下にした状態で、正逆転可能な排出ローラ１２ａの正転により排出トレイ１４に排出される。
【００３２】
一方、両面印刷を行う場合、排出ローラ１２ａは正転によりシートＰを排出トレイ１４に向かって搬送し、この後、シートＰの後端が排出ガイド５０を抜けた後に逆転する。ここで、シートＰの後端が排出ガイド５０を抜けると、後端は、その剛性により反転ガイド５１側に向かい、さらにこの状態で排出ローラ１２ａが逆転すると、シートＰの後端は、両面搬送路Ｒに侵入する。
【００３３】
その後、排出ローラ１２ａの逆転によりシートＰは両面搬送路Ｒを通る。そして、両面ローラ１５ａ及びこの両面ローラ１５ａに圧接する両面コロ１５ｂにより構成される両面ローラ対により搬送され、再び画像形成部２０へと送られる。そして、この画像形成部２０において２面目の画像が形成され、この後、排出ローラ１２ａにより排出トレイ１４に排出される。
【００３４】
図１〜図６を用いて、本実施形態に関わる両面ドア及び両面ドアのロック機構について説明する。開閉部材としての両面ドア５３は、レーザビームプリンタＦの本体（以下、装置本体）の背面カバーに対して、回転軸５３ｃ周りに回転可能とされている。すなわち、両面ドア５３は、装置本体に対して開閉可能に設けられている。そして、閉じている時の両面ドア５３の内壁（シートを案内する搬送面）であるガイド５３ａ，５３ｂと、装置本体の内壁である両面ガイド５２とから両面搬送路Ｒの一部が形成されている。
【００３５】
図６に示すように、両面搬送路Ｒにおいて、両面ローラ対を構成する一方の両面ローラ１５ａは、装置本体に設けられている。両面ローラ１５ａは、シートを搬送するために駆動回転する搬送回転体である。
【００３６】
一方、図２、図３に示すように、両面搬送路Ｒにおいて、両面ローラ対を構成する他方の両面コロ１５ｂは、前記ドア５３に設けられている。両面コロ１５ｂは、両面ローラ１５ａの対向位置に設けられ、両面コロ軸３５に対して回転可能に支持されている。両面コロ１５ｂは、前記両面ローラ１５ａの回転に従動する従動回転体であり、両面ローラ１５ａとの間でシートを挟持して搬送する。
【００３７】
図３に示すように、両面コロ軸３５は、前記両面コロ１５ｂを支持する軸部材であり、両面コロ軸受３６に対して回転可能に支持されている。
【００３８】
図４に示すように、両面コロ軸受３６は、前記両面コロ軸３５を回転可能に支持する軸受部材である。両面コロ軸受３６は、両面ドア５３に対して両面ローラ１５ａの方向にスライド移動可能に取り付けられている。
【００３９】
両面コロ軸受３６は、加圧バネ３７により両面ローラ１５ａの方向に加圧されている。加圧バネ３７は、前記両面ローラ１５ａと前記両面コロ１５ｂとの間で加圧力を生じさせる加圧部材である。
【００４０】
図２に示すように、ロック部材３２は、回転軸部３２ａと、フック部３２ｂと、バネ掛け部３２ｃとを有している。ロック部材３２は、両面コロ１５ｂを回転可能に支持している両面コロ軸３５の軸方向両端部に取り付けられている。
【００４１】
図３に示すように、ロック部材３２は、回転軸部３２ａによって両面ドア５３に対して回転可能に取り付けられている。そして、図２に示すように、ロック部材付勢バネ３３が、両面ドア５３のバネ掛け部５３ｅとロック部材３２のバネ掛け部３２ｃとに取り付けられている。このロック部材付勢バネ３３の付勢力により、ロック部材３２を両面ドア５３の突き当て部５３ｆに突き当てて、ロック部材３２の回転方向の姿勢を決めている。
【００４２】
また、図５に示すように、装置本体は、両面ドア５３に設けられたロック部材３２のフック部３２ｂと係止可能なロック軸３４を有している。このロック軸３４に、両面ドア５３に設けられたロック部材３２のフック部３２ｂが係止することで、装置本体に対して両面ドア５３が閉じ位置でロックされる。
【００４３】
そして、図２に示すように、ロック部材３２の回転軸部３２ａは、両面コロ軸３５を両面ローラ１５ａの方向にスライド移動可能に案内する案内部３２ｄが設けられた長穴部３２ｅを有している。この長穴部３２ｅの案内部３２ｄは、平面が平行に対向した形状となっている。
【００４４】
両面コロ軸３５は、ロック部材３２を設ける軸方向両端部に、前記案内部３２ｄに沿って移動可能に、且つ、両面コロ軸３５に対するロック部材３２の回転を規制するように前記案内部３２ｄに係合する係合部３５ａを有している。
【００４５】
これにより、両面コロ軸３５は、図４に示すように、ロック部材３２に対して加圧バネ３７の加圧方向にスライド移動可能であり、且つ、両面コロ軸３５はロック部材３２の回転を規制している。
【００４６】
両面コロ軸３５に対するロック部材３２の回転が規制されているため、一方のロック部材３２が回転すると、両面コロ軸３５がともに回転し、これにともなって他方のロック部材３２も同じ方向に回転することとなる。
【００４７】
その結果、ユーザーが幅方向（軸方向）のいずれか一方を保持して両面ドア５３を閉じた時、両面ドア５３の一方のロック部材３２が回転すると、他方のロック部材３２も回転する。そのため、両面ドア５３の捻れによる片閉まりが発生することなく、両面ドア５３は閉じられることになる。
【００４８】
本実施形態によれば、装置本体に対して開閉可能な両面ドア５３の片閉まりが発生しないため、片閉まりに起因するジャムによるシートの無駄や、ジャムしたシートを取り除き、再プリントを行うユーザーの手間を省くことが可能になる。
【００４９】
そして、両面コロ軸３５が両端のロック部材３２を同期して動作させる役割を果たしているため、部品点数の削減による装置の小型化、コストダウンや省スペース化を図ることが可能となる。その上、両面ドア５３が大きく撓んでも片閉まりが発生しないため、両面ドア５３の肉厚を薄くすることが可能となり、使用材料の体積を減らすことで更なるコストダウンが可能になる。
【００５０】
すなわち、本実施形態によれば、装置本体に対して開閉可能な両面ドア５３の片閉まり発生を防止して、両面ドア５３がなすシートの搬送路でのシートジャムを抑制することができる。また、両面ドア５３に設けた両面コロ１５ｂの両面コロ軸３５にロック部材３２を設けたため、装置の小型化、コストダウンを図ることができる。これにより低価格を実現しながらユーザビリティを向上させ、ジャムの発生しない高品質なシート搬送装置及び画像形成装置（画像処理装置）を提供することができる。
【００５１】
〔第２実施形態〕
第２実施形態に係るシート搬送装置を備えた画像形成装置を図７〜図１２に基づいて説明する。本実施形態でも、画像形成装置として、レーザビームプリンタを例示している。
【００５２】
図７は、本実施形態に係るレーザビームプリンタＦのドアの斜視図である。図８は、本実施形態に係るレーザビームプリンタＦのドアロック機構部の詳細平面図である。図９は、図８のＤＤ−ＤＤ断面図である。図１０は、本実施形態に係るレーザビームプリンタＦのドアロック機構部の詳細斜視図である。図１１は、本実施形態に係るレーザビームプリンタＦのドア閉時を示す断面図である。図１２は、本実施形態に係るレーザビームプリンタＦのドア開時を示す断面図である。
【００５３】
なお、本実施形態に係るレーザビームプリンタＦが、前述した実施形態に係るレーザビームプリンタＦと同様の箇所は符号を同一とし説明を省略する。
【００５４】
前述した実施形態では、両面コロ軸受３６を別個に設けた構成を例示したが、本実施形態では、ロック部材が、軸受部材を兼ねた構成となっている。
【００５５】
前述した第１実施形態では、両面ローラと両面コロとの間で加圧力を生じさせる加圧部材として、両面コロ軸受３６と両面ドア５３との間に加圧バネ３７を設けた。これに対し、本実施形態では、両面コロ軸１３５とロック部材１３２との間に加圧バネ１３７を設けている。以下、説明する。
【００５６】
図７〜図１２を用いて、本実施形態に関わる両面ドア及び両面ドアのロック機構について説明する。開閉部材としての両面ドア５３は、レーザビームプリンタＦの本体の背面カバーに対して、回転軸５３ｃ周りに回転可能とされている。そして、閉じている時の両面ドア５３の内壁（シートを案内する搬送面）であるガイド５３ａ、５３ｂと、装置本体の内壁である両面ガイド５２とから両面搬送路Ｒの一部が形成されている。
【００５７】
図８に示すように、ロック部材１３２は、回転軸部１３２ａと、フック部１３２ｂと、バネ掛け部１３２ｃとを有している。
【００５８】
図９に示すように、ロック部材１３２は、回転軸部１３２ａによって両面ドア５３に対して回転可能に取り付けられている。そして、図８に示すように、ロック部材付勢バネ３３が、両面ドア５３のバネ掛け部５３ｅとロック部材１３２のバネ掛け部１３２ｃとに取り付けられている。このロック部材付勢バネ３３の付勢力により、ロック部材１３２を両面ドア５３の突き当て部５３ｆに突き当てて、ロック部材１３２の回転方向の姿勢を決めている。
【００５９】
また、図１１に示すように、装置本体は、両面ドア５３に設けられたロック部材１３２のフック部１３２ｂと係止可能なロック軸３４を有している。このロック軸３４に、両面ドア５３に設けられたロック部材１３２のフック部１３２ｂが係止することで、装置本体に対して両面ドア５３が閉じ位置でロックされる。
【００６０】
図１２に示すように、両面搬送路Ｒにおいて、両面ローラ対を構成する一方の両面ローラ１５ａは、装置本体に設けられている。両面ローラ１５ａは、シートを搬送するために駆動回転する搬送回転体である。
【００６１】
図８及び図９に示すように、両面コロ１５ｂは、両面ローラ１５ａの対向位置に設けられ、両面コロ軸１３５に対して回転可能に支持されている。両面コロ１５ｂは、前記両面ローラ１５ａの回転に従動する従動回転体であり、両面ローラ１５ａとの間でシートを挟持して搬送する。
【００６２】
図８に示すように、ロック部材１３２と両面コロ軸１３５との間には、両面コロ軸１３５を両面ローラ１５ａの方向に加圧するための加圧バネ（加圧部材）１３７が設けられている。両面コロ軸１３５の両端部には、ロック部材１３２に設けた長穴部１３２ｅの案内部１３２ｄに係合する係合部１３５ａが設けられている。この両面コロ軸１３５の係合部１３５ａ、ロック部材１３２の長穴部１３２ｅ、案内部１３２ｄは、前述した実施形態における両面コロ軸３５の係合部３５ａ、ロック部材３２の長穴部３２ｅ、案内部３２ｄに相当する。
【００６３】
さらに本実施形態におけるロック部材１３２には、前述の案内部１３２ｄだけでなく、前記加圧バネ１３７の付勢力を受ける受け面１３２ｆ（図８参照）が設けられている。
【００６４】
このロック部材１３２の案内部１３２ｄと両面コロ軸１３５の係合部１３５ａとの係合により、両面コロ軸１３５に対するロック部材１３２の回転が規制されている。そのため、軸方向一方のロック部材１３２が回転すると、両面コロ軸１３５がともに回転し、これにともなって他方のロック部材１３２も同じ方向に回転することとなる。
【００６５】
その結果、ユーザーが幅方向（軸方向）のいずれか一方を保持して両面ドア５３を閉じた時、両面ドア５３の一方のロック部材１３２が回転すると、他方のロック部材１３２も回転する。そのため、両面ドア５３の捻れによる片閉まりが発生することなく、両面ドア５３は閉じられることになる。つまり、前述した第１実施形態と同様の効果が得られる。
【００６６】
更に、本実施形態においては、ロック部材が両面コロ軸の軸受を兼ねているため、前述した実施形態に比べて、両面コロ軸受などが不要な分だけ部品点数を削減できる。また、両面コロ軸受などが不要になったことで両面ドア５３の軸方向の幅を狭くすることが可能になり、更なるコストダウンや小型化を図ることができる。
【００６７】
〔他の実施形態〕
前述した実施形態では、画像処理装置として、記録紙などの記録対象のシートに画像を形成する画像形成装置としてのプリンタを例示したが、本発明はこれに限定されるものではない。例えば、原稿などの読取対象のシートの画像を読み取るスキャナ等の画像読取装置であっても良い。或いは、記録対象のシートに画像を形成し、読取対象のシートの画像を読み取る複写機、ファクシミリ装置等の他の画像処理装置であっても良い。或いは、これらの機能を組み合わせた複合機等の他の画像処理装置であっても良い。これらの画像処理装置に用いられるシート搬送装置に本発明を適用することにより同様の効果を得ることができる。
【００６８】
また前述した実施形態では、画像処理装置が一体的に有するシート搬送装置を例示したが、本発明はこれに限定されるものではない。例えば画像処理装置に対して着脱自在なシート搬送装置であっても良く、該シート搬送装置に本発明を適用することにより同様の効果を得ることができる。
【符号の説明】
【００６９】
Ｃ    …プロセスカートリッジ
Ｆ    …レーザビームプリンタ
Ｐ    …シート
Ｒ    …両面搬送路
８    …感光体
１５ａ …両面ローラ
１５ｂ …両面コロ
２０  …画像形成部
３２  …ロック部材
３２ａ …回転軸部
３２ｂ …フック部
３２ｃ …バネ掛け部
３２ｄ …案内部
３２ｅ …長穴部
３３  …ロック部材付勢バネ
３５  …両面コロ軸
３５ａ …係合部
３６  …両面コロ軸受
３７  …加圧バネ
５０  …排出ガイド
５１  …反転ガイド
５２  …両面ガイド
５３  …両面ドア
５３ａ，５３ｂ …ガイド
５３ｃ …回転軸
５３ｅ …バネ掛け部
５３ｆ …突き当て部
１３２ …ロック部材
１３２ａ …回転軸部
１３２ｂ …フック部
１３２ｃ …バネ掛け部
１３２ｄ …案内部
１３２ｅ …長穴部
１３２ｆ …受け面
１３５ …両面コロ軸
１３５ａ …係合部
１３７ …加圧バネ
【図１】
2012201456.tif 000003
【図２】
2012201456.tif 000004
【図３】
2012201456.tif 000005
【図４】
2012201456.tif 000006
【図５】
2012201456.tif 000007
【図６】
2012201456.tif 000008
【図７】
2012201456.tif 000009
【図８】
2012201456.tif 000010
【図９】
2012201456.tif 000011
【図１０】
2012201456.tif 000012
【図１１】
2012201456.tif 000013
【図１２】
2012201456.tif 000014
【図１３】
2012201456.tif 000015
【図１４】
2012201456.tif 000016
【図１５】
2012201456.tif 000017
【図１６】
2012201456.tif 000018